【手続補正書】
【提出日】平成16年8月17日(2004.8.17)
【手続補正１】
【補正対象書類名】明細書
【補正対象項目名】全文
【補正方法】変更
【補正の内容】
【書類名】      明細書
【発明の名称】  煙草製品用硬質梱包
【特許請求の範囲】
【請求項１】  複数の側面（１５，１６，１７；３４，３５，３６，３７）を有すると共に、容器（３；２９；４０）と、蓋（５；３０；４１）と、梱包（１）内部に差し込まれかつ前記側面（１５，１６，１７；３４，３５，３６，３７）のうちの少なくとも一つと接触するよう配置されたクーポン（２４）とを具備した、おおむね角柱形状の煙草製品用硬質梱包において、前記側面（１５，１６，１７；３４，３５，３６，３７）のうちの少なくとも一つが、消費者向けの広告、告知及び記載事項が記された前記差し込まれたクーポン（２４）の予め定められた領域（２７）を露出するよう機能する窓（２５）を有することを特徴とする梱包。
【請求項２】  複数の煙草の小包（２）を包含するよう機能する請求項１に記載された梱包であって、該梱包が、主長手軸線（３３）に関し、おおむね平坦化された平行六面体形状をなす少なくとも一つの外側包装（３２）を具備しており、該外側包装は、互いに平行な、二つの大きい方の側面（３４，３５）と、前記大きい方の側面（３４，３５）に垂直に配置されている互いに平行な、二つの小さいほうの側面（３６、３７）と、二つの横断方向端面（３８，３９）とを有しており、前記窓（２５）が前記側面（３４，３５，３６，３７）のうちの少なくとも一つに形成される梱包。
【請求項３】  複数の煙草の小包（２）を包含するよう機能する請求項１に記載された梱包であって、該梱包が、硬質外側包装（１８）を有しており、該硬質外側包装（１８）は、カップ状形態をなす容器（２９）を具備しており、該容器（２９）の頂部には同様にカップ状形態をなす蓋（３０）が載置されており、該蓋（３０）は、容器（２９）にヒンジ留めされ従って開放位置と閉鎖位置との間を回転可能であり、該梱包が更に、容器（２９）の内部に配置されかつ容器（２９）に部分的に固定される補強枠（２０）と、硬質包装（１８）と前記小包（２）との間に差し込まれたクーポン（２４）とを具備しており、前記窓（２５）が、前記枠（２０）が占めている前記容器（２９）の一面（７）に形成される梱包。
【請求項４】  対応する内部包装（１９）により包まれた一群の煙草を包含するよう機能する請求項１に記載された梱包であって、該梱包が、硬質外側包装（１８）を有しており、該硬質外側包装（１８）は、カップ状形態をなす容器（３）を具備しており、該容器（３）の頂部には同様にカップ状形態をなす蓋（５）が載置されており、該蓋（５）は、容器（３）にヒンジ留めされ従って開放位置と閉鎖位置との間を回転可能であり、該梱包が更に、容器（３）の内部に配置されかつ容器（３）に部分的に固定される補強枠（２０）と、容器（３）と内側包装（１９）との間に差し込まれたクーポン（２４）とを具備しており、前記窓（２５）が、前記枠（２０）が占めている前記容器（３）の一面（７）に形成される梱包。
【請求項５】  前記枠（２０）が、前記容器（２９，３）の前記面（７）に形成された前記窓（２５）とおおむね合致する、対応する窓（２６）を有している請求項３又は４に記載された梱包。
【請求項６】  前記窓（２５）が、前記枠（２０）が占めていない前記面（７）の領域内に形成される請求項３又は４に記載された梱包。
【請求項７】  前記窓（２５）が、前記枠（２０）が部分的に占めている前記面（７）の領域内に配置される請求項３又は４に記載された梱包。
【発明の詳細な説明】
【０００１】
［技術分野］
本発明は煙草製品の硬質梱包に関する。
【０００２】
［背景技術］
下記の説明において、「梱包」という用語は、煙草の複数の小包を含む紙箱と、一群の煙草又は煙草製品一般を含む単一の小包との両方を意味する。
【０００３】
当該タイプの硬質梱包は、一般に、それぞれ平坦な予め折り目を付けられた型打ちブランクから形作られ、単一の梱包は容器及び蓋を具備し、この蓋は特に小包の場合には、容器の開放端を囲むように当該容器の後端にヒンジ留めされ、部分的に容器の内部に配置されそれゆえ容器の前面及び二つの側面に内部で固定される補強枠を更に具備する。
【０００４】
実務ではしだいにこれらの梱包の外側表面に、消費者向けに、広告、告知及び他の記載事項が印刷されるようになっているが、それらは明瞭に配置され、製品が販売されている様々な国の言語で表現され、かつ、さらに、異なる国の国法による要求に合致するようにケース・バイ・ケース・ベースでカスタマイズされなければならない。
【０００５】
ある国々では、梱包の外側表面に製品価格を印刷するのが通常であり、特に、大きなインフレ要因により価格変更が頻繁な国々では、梱包上に印刷される記載事項を市場条件に対応してしばしば変えて対応しなければならない。
【０００６】
これらのこと全ては、梱包を形作る型打ちブランクを国毎に、あるいは各個別国のために変えなくてはならず、結果として在庫及び製造コストが高くなるということを意味する。
【０００７】
また当該タイプの梱包を、消費者向け文字及び画像を有する差込物、すなわちカード、クーポン等を、その内部に設けて製造することも実務になっている。
【０００８】
本発明の目的は、全ての国のために単一の標準ブランクを使用すると共に、消費者向けの広告、告知及び記載事項を印刷した差込物を背景として利用することで、異なるブランクの使用を回避することにある。
【０００９】
［発明の開示］
この目的は本発明によれば、複数の側面を有すると共に、容器と、蓋と、梱包内部に差し込まれかつ前記側面のうちの少なくとも一つと接触するよう配置されたクーポンとを具備した、おおむね角柱形状の煙草製品用硬質梱包において、前記側面のうちの少なくとも一つが、消費者向けの広告、告知及び記載事項が記された前記差し込まれたクーポンの予め定められた領域を露出するよう機能する窓を有することを特徴とする梱包によって達成される。
【００１０】
以下添付図面を参照して、例示により詳細を説明する。
【００１１】
図面の図１，２及び３を参照すると、１は煙草製品の梱包の全体を表し、この特別な例では、一群の煙草（図示されていない）を包含する硬質梱包２からなり、この梱包２は、カップ状形態をなして開放頂端４を与える容器３を具備し、容器３の頂部には同様にカップ状形態をなす蓋５が載置され、この蓋５は対応するヒンジ線６に沿って容器３にヒンジ留めされ、従って開放位置（図示されていない）と、頂端４が閉じられた位置との間で回転可能になっている。
【００１２】
容器３は、前面７、裏面８、二つの側面９、及び底端面１０を有し、同様に、蓋５は、前面１１、裏面１２、二つの側面１３及び頂端面１４を有する。
【００１３】
前述の容器３及び蓋５の前面、裏面及び側面は共に、組み立てられた梱包１のそれぞれの横面を構成し、その前面は符号１５が付され、裏面は符号１６が付され、側面は符号１７が付され、これらは容器３の底端面１０及び蓋５の頂端面と組み合わさって小包２の外側包装１８を画定する。
【００１４】
各小包２は、前述の一群の煙草を包む内部包装（図示されていない）を収容し、この小包２には補強枠２０が設けられ、この補強枠２０は外側包装１８と内側包装１９との間に介在され従って容器３に固定される。前記枠２０は、前記容器３の内部に位置する部分２０ａ及び容器の外側に開放頂端４から出ている部分２０ｂを具備する。
【００１５】
さらに特に、枠２０は、容器３の前面７の内側と部分的に接触している胸部片２１と、容器３の側面９の内側に部分的に固定されている二つの側部片２２とを含む。
【００１６】
枠２０の胸部片２１は、凹状外形が蓋５に向かうよう配置された「Ｕ」型の輪郭を有する縁２３によって、最上部が画定されている。
【００１７】
最後に、各小包２は、枠２０と内側包装１９間に差し込まれた小片ないしクーポン２４を有している。図１及び２の例では、その頂端が枠２０の頂縁２３を越えてように延びるように、クーポン２４が枠の胸部片２１の下に位置決めされると共に、容器３の前面７の内側と部分的に接触する。
【００１８】
代替的に、図３の例のように、クーポン２４を枠２０と容器３の前面７の内部との間に差し込むこともできる。
【００１９】
図１の例では、小包２は、容器３の前面７により与えられる窓２５を有し、この窓２５は枠２０の胸部片２１に合致するよう位置決めされ、胸部片２１は同様に、前面７の窓２５におおむね合致する窓２６を与える。このようにして、消費者向けの文字及び画像事項が載せてあるクーポン２４の領域２７を露出することが可能になり、それにより、このような事項を小包２に直接印刷する必要性がなくされている。
【００２０】
図２の例では、窓２５は、枠２０が占めていない容器３の前面７の領域に位置決めされており、枠２０は従って対応する窓２０を有していない。この例でも同様に、窓２５は消費者向けの文字及び画像事項が載せてあるクーポン２４の領域２７を露出する。
【００２１】
図３の例では、窓２５は、枠２０の胸部片２１に合致する容器３の前面の領域に位置決めされており、しかしながらクーポン２４が胸部片２１の前に位置決めされているので、枠は対応する窓２６を有していない。
【００２２】
図に表していないさらなる実施態様では、窓２５を、枠２０が部分的にのみ占めている容器３の前面７の領域に位置決めすることができる。この例では、枠２０は、完全な窓２６ではなく、クーポン２４の前記領域２７を露出するのに十分な寸法の切り取り部分を有することができる。
【００２３】
図４及び５の例では、梱包１は、複数の煙草の小包２を含むよう機能する硬質カートン２８からなる。カートン２８の形状は、図１，２及び３に示した小包２の形状と全ての面で類似しており、従って可能な限り、小包２の対応する部分を示すのに用いられた符号と同じ符号でもって、構成要素部分を示すことにする。
【００２４】
単一のカートン２８は、蓋３０が頂部に載置された容器２９を具備し、この蓋３０は対応するヒンジ線６に沿って容器にヒンジ留めされ、開放位置（図示されていない）と、容器２９の開放頂端４が閉じられた位置との間で回転可能になっており、カートン２８は更に、容器２９に固定された補強枠２０を具備し、この補強枠２０は容器２９の内部に位置する部分２０ａ及び容器２９の外側に開放頂端４から出ている部分２０ｂを具備する。
【００２５】
図１，２及び３に示した小包２に関して既に説明したことを想起すると、容器２９の前面、裏面及び側面並びに蓋３０は、カートン２８の場合も同様に、組み合わさって組み立てられた梱包１のそれぞれの面を構成し、その前面は符号１５が付され、裏面は符号１６が付され、側面は符号１７が付され、これらは容器２９の底端面１０及び蓋３０の頂端面１４と組み合わさってカートン２８の外側包装１８を画定する。
【００２６】
従って、小包２と類似したやり方で、図４に示されるカートン２８は、容器２９の前面７により与えられる窓２５を有し、この窓２５は枠２０の胸部片２１に合致するよう位置決めされ、この胸部片２１は同様に、クーポン２４の予め定められた領域２７を露出するように、前面７の窓２５におおむね合致する窓２６を与える。
【００２７】
図５の例では、窓２５は、枠２０が占めていない容器２９の前面７に位置決めされ、従って枠２０は、対応する窓２６を有していない。この例でも同様に、窓２５は、消費者向けの文字及び画像事項が載せてあるクーポン２４の領域２７を露出するよう機能する。
【００２８】
図示していないさらなる実施態様では、カートン２８は、図３に示した小包２のように配置されたクーポン２４と共に組立てられうる。
【００２９】
図６の例では、梱包１は、外側包装３２を有するカートン３１からなり、この外側包装３２は、主長手軸線３３に関し、おおむね平坦化された平行六面体形状をなす。
【００３０】
カートン３１は、互いに平行な、二つの大きい方の側面３４及び３５と、これら大きい方の横面３４及び３５に垂直に配置されている互いに平行な、二つの小さいほうの側面３６及び３７と、二つの横断方向端面３８及び３９とを有する。
【００３１】
図６から明らかなように、小さいほうの側面３６及び３７と、端面３８及び３９と、大きい方の側面３５とは互いに組み合わさって容器４０を形成し、一方、残りの側面３４は蓋４１として機能する。
【００３２】
本発明に従えば、カートン３１は、蓋４１として機能する、上方に向けられた大きい方の側面３４と、カートン３１の内部に収容された小包２との間に差し込まれたクーポン２４を備えると共に、消費者向けの文字及び画像事項が載せてあるクーポン２４の領域２７を露出するように、当該大きい方の横面３４に配置された窓２５を与える。
【００３３】
図示されていないさらなる実施態様では、窓２５を、前側の、小さいほうの側面３６に配置することもできる。この例では、したがってクーポン２４は、前面３６と少なくとも一部が合致するように位置決めされる。
【図面の簡単な説明】
【図１】
本発明に従った煙草の小包の三つの実施態様のうちの一つの概略斜視図である。
【図２】
本発明に従った煙草の小包の三つの実施態様のうちの一つの概略斜視図である。
【図３】
本発明に従った煙草の小包の三つの実施態様のうちの一つの概略斜視図である。
【図４】
本発明に従った梱包の第１の実施態様を例示する、煙草の小包のためのカートンの概略斜視図である。
【図５】
本発明に従った梱包の第１の実施態様を例示する、煙草の小包のためのカートンの概略斜視図である。
【図６】
本発明に従った梱包の第２の実施態様を例示する、煙草の小包のためのカートンの概略斜視図である。